(57)【要約】  本発明は、導電スライダー（４）と、前記スライダーを移動させることによって一連の対応する部材（３）と結合・分離可能な歯又はコイルといった一連の部材（３）がそれぞれ設けられた第１テープ（１）及び第２テープ（２）とを備える、ジップクロージャーシステムの状態を監視するための監視装置を提供する。導電性材料の２つの細片（５、６）は、第１テープ（１）に固定されており、第１テープ（１）の縦軸に対して横方向に、好ましくは垂直に配置されている。前記細片（５、６）及びスライダー（４）は、前記スライダー（４）が前記細片（５、６）と同じ高さに移動した時に、２つの細片（５、６）とスライダー（４）とが電気的に接続されるように構成されている。前記装置は、更に、２つの細片（５、６）間の電気的導通の状態を検出するように構成された検出器システム（８）を備える。
2019534116.tif 000002
【特許請求の範囲】
【請求項１】
ジップクロージャーシステムを監視するための監視装置であって、前記監視装置は、
歯又はコイルといった一連の部材（３）がそれぞれ設けられ、前記一連の対応する部材（３）により結合・分離可能な第１テープ（１）及び第２テープ（２）と、
導電スライダーと称する導電性材料で製作されたスライダー（４）とを備えており、前記導電スライダー（４）は、前記一連の部材（３）に沿って一方向に移動することによって２つの前記一連の部材（３）を一体に結合させ、反対方向に移動することによってそれらを分離させるようにして前記一連の部材（３）と配置されており、
前記監視装置は、
前記第１テープ（１）に固定されており、前記第１テープ（１）の縦軸に対して横方向に、好ましくは垂直に配置された導電片と称する導電性材料の少なくとも２つの細片（５、６）であって、前記細片（５、６）及び前記スライダー（４）は、前記スライダー（４）が前記細片（５、６）と同じ高さであるように移動した時に前記２つの細片（５、６）が前記スライダー（４）によってともに電気的に接続されるように構成される２つの細片（５、６）と、
前記２つの細片（５、６）間の電気的導通の状態を検出するように構成された検出器・信号発信システム（８）と、を備えることを特徴とする、監視装置。
【請求項２】
前記細片（５、６）は、
前記第１テープ（１）の織物に織り込むことによって、及び／又は、
前記第１テープ（１）の片面又は両面に縫製することによって、及び／又は、
前記第１テープ（１）の片面又は両面に印刷することによって、及び／又は、
前記第１テープ（１）の表面に接着剤で接着又は付着することによって、
前記第１テープ（１）の片面又は両面に圧着することによって、
第１テープ（１）に固定されることを特徴とする、請求項１に記載の装置。
【請求項３】
前記ジップクロージャー装置は第３導電片（７）を更に備え、前記検出器・信号発信システム（８）はまた、前記スライダー（４）の移動方向を検出できるように、前記第２導電片（６）と前記第３導電片（７）との間の電気的導通の状態を検出するように構成されることとを特徴とする、請求項１または請求項２に記載の装置。
【請求項４】
前記導電片（５、６、７）は前記第１テープ（１）の一端の近傍に配置されることを特徴とする、請求項１から請求項３のいずれか一項に記載の装置。
【請求項５】
それぞれの一連の部材（３）の結合・分離可能な前記部材は、ナイロンといった電気絶縁材料で製作されることを特徴とする、請求項１から請求項４のいずれか一項に記載の装置。
【請求項６】
前記検出器・信号発信システム（８）は、電線といった導電性フィラメント要素（５８）によって前記第１細片（５）と接続された第１入力端子と、電線といった導電性フィラメント要素（６８）によって、例えば電源（Ｖｃｃ）により供給される電位と接続された前記第２細片（６）とを有することを特徴とする、請求項１から請求項５のいずれか一項に記載の装置。
【請求項７】
前記検出器・信号発信システム（８）は、電線といった導電性フィラメント要素（７８）によって前記第３細片（７）と接続された第２入力端子を有することを特徴とする、請求項３または請求項６に記載の装置。
【請求項８】
一着のズボン、スカート、財布、ポーチ、スーツケース、バッグ、札入れ、テント、防水シート、スーツといった物品であって、前記物品はジップクロージャーシステムを装着した開閉部を呈しており、前記物品は、請求項１から請求項７のいずれか一項に記載の監視装置が設けられており、前記物品の前記ジップクロージャーシステムは前記監視装置の前記ジップクロージャーシステムを含むことを特徴とする、物品。
【請求項９】
前記物品は、衣服のウエストにクロージャーボタンを含む衣服であり、前記衣服は、前記クロージャーボタンに収容され前記検出器・信号発信システム（８）に給電するように構成された、ボタン電池といった電源も含むことを特徴とする、請求項８に記載の物品。
【請求項１０】
ジップクロージャーシステムを装着した開閉部を呈するバックパックといった旅行鞄であって、前記旅行鞄は、請求項１から請求項７のいずれか一項に記載の監視装置が設けられており、前記旅行鞄の前記クロージャーシステムは前記監視装置の前記ジップクロージャーシステムを含むことを特徴とする、旅行鞄。
【発明の詳細な説明】
【技術分野】
【０００１】
本発明は、バッグ、旅行鞄、ズボン、ショーツ、スカート、又はいずれかの他の類似の衣服、テキスト（ｔｅｘｔ）、防水シート、カバー、例えば札入れ、財布又はポーチ等の皮革製品といった物品のジップクロージャー（ｚｉｐ  ｃｌｏｓｕｒｅ）システムの状態を監視するための監視装置に関する。本発明はまた対応する物品に関する。
【背景技術】
【０００２】
バッグ又は旅行鞄といった特定の運搬用物品は、ジップクロージャー形式のクロージャーシステムを含む。バッグが不本意に開いた場合、その中身を失う危険がある。同様に、バッグが開いているのにその所有者が知らない場合、バッグの中身が盗まれる危険がある。
【０００３】
更に、ズボンは通常、同様にジップクロージャー形式のクロージャーシステムによって形成され得る前ファスナーを含む。前ファスナーが部分的にせよ開いたままであることが起こり得て、それはズボンの着用者がすぐに気づかなければ第三者を当惑させる恐れがある。
【０００４】
技術的現状において、特に特許文献１には、ジップクロージャーシステムの状態を監視可能にする装置が開示されている。特許文献１の実施形態において、その監視装置は、一方がジップクロージャーの一列の歯に接続され他方がクロージャーの他方の列の歯に接続されている２つのコネクタを備えた検出器・信号発信装置を含む。コネクタが接続される歯は互いに対面しており、コネクタが同じ高さにあるようになっており、またコネクタとのジップクロージャーの高さが閉状態にある時に前記コネクタは互いに接触させられ、それによって電気回路を閉じて電源から来る電流が流れるようになっている。この電流の流れは、ジップクロージャーの開閉状態を推定できその状態を送信可能な検出器・信号発信装置によって検出される。
【０００５】
しかしながら、特許文献１の上述のような既知の解決策では、コネクタはジップクロージャーに沿って同じ高さに配置されており、それによりジップクロージャーが閉じていなくてもコネクタが互いに接触するという無視できない危険が存在することになる。検出器・信号発信装置はその場合、検出器・信号発信装置がコネクタ間の接触を検出するのでジップクロージャーの開状態を送信しない。
【０００６】
更に、コネクタ又は電線をジップクロージャーの歯と電気的に接続することは、信頼でき長持ちする様態で行うのが難しい動作である。詳しくは、ジップクロージャーは頻繁に操作されるシステムであり、コネクタと歯との間の接続は急速に劣化する恐れがある。
【０００７】
更に、ジップクロージャーの片側のコネクタの１つをジップクロージャーの反対側の他方のコネクタに接続することは、電気接続配線をズボンのまわり全体に通す必要があり、それは複雑であり装置を劣化させる危険を高める。
【先行技術文献】
【特許文献】
【０００８】
【特許文献１】欧州特許第０３０３４８１号明細書
【発明の概要】
【発明が解決しようとする課題】
【０００９】
従って本発明の目的は、物品のジップクロージャーシステムの状態を監視し、上述の課題を完全に又は部分的に解決することを可能にする新規な装置を提案することである。
【課題を解決するための手段】
【００１０】
このために、本発明は、ジップクロージャーシステムを監視するための監視装置を提供し、前記装置は、
歯又はコイル（ｓｐｉｒａｌ  ｔｕｒｎｓ）といった一連の部材がそれぞれ設けられ、前記一連の対応する部材により結合・分離可能なた第１テープ及び第２テープと、
導電スライダーと称する導電性材料で製作されたスライダーとを備えており、導電スライダーは、前記一連の部材に沿って一方向に移動することによって２つの一連の部材を一体に結合させ、反対方向に移動することによってそれらを分離させるようにして一連の部材と配置されており、
前記監視装置は、
第１テープに固定されており、第１テープの縦軸に対して横方向に、好ましくは垂直に配置された導電片と称する導電性材料の少なくとも２つの細片であって、前記細片及びスライダーは、前記スライダーが前記細片と同じ高さであるように移動した時に２つの細片がスライダーによってともに電気的に接続されるように構成されており、
２つの細片間の電気的導通の状態を検出するように構成された検出器・信号発信システムとを備えることを特徴とする。
【００１１】
用語ジップクロージャーシステムの「状態」は、前記ジップクロージャーシステムがそのスライダーに対して、システムの前記状態がジップクロージャーシステムの閉状態又は開状態にあり得ると見られるはずの構成、前記スライダーの移動軸に沿ったスライダーの位置、又は更に言えばスライダーの移動方向を意味するために使用される。
【００１２】
監視装置のそうした設計は特に、導電歯の間の電気的接触が望ましくない様態で起こり得る従来技術の解決策とは異なり、細片間の接触をもたらすスイッチを形成するのがスライダーであるからこそ、偽接触の危険がまったくなくジップクロージャーの開閉状態を確実に検出するのに資する。
【００１３】
更に、テープに固定された導電片を使用する事実により、コネクタ又は電線が歯と電気的に接続される必要がある特許文献１の解決策よりも低いコストで装置の信頼性が高まる。本発明の監視装置のそうした設計は、頻回なストレスに対し長期にわたって耐えられ、劣化の危険が限られる。
【００１４】
更に、細片を同じテープに、それゆえジップクロージャーの片側だけに配置することによって、ジップクロージャーの片側だけに電気接続配線を有するとともに、従って装置の質を低下させるあらゆる危険を低減しながら小型である監視装置を得ることが可能である。監視装置はこのようにして、ジップクロージャーシステムを利用する様々な物品に容易に装着できる。
【００１５】
細片を同じ側に有することにより、監視装置を、特に電気・電子要素及び対応する配線を、スライダーの移動軸に対してジップクロージャーの片側だけに配置することが可能になる。従って、例えばテントといった物品を、物品の一部分を第１テープと接続させ別の部分を第２テープと接続させて、クロージャーシステムが開状態にある時にそれらの部分が互いに分離できるように設計することが可能である。具体的には、細片を、それゆえ装置を片側だけに配置することによって、物品の前記分離可能部分の一方だけに装置を局在化させることが可能であり、それによって、それらの部分が配線といった装置の要素によってともに接続されたままになっていることなく、また装置又はその配線の一部を元に戻す必要がまったくなく、それらの部分を分離することが可能である。そうした設計は例えば、ガレージなどに退避させるために防水シートの脱着部分を取り去る時など、防水シート又はテントについて特に有利である。
【００１６】
２つの細片間の電気的導通の状態は、２つの細片間に形成される電気回路の開閉状態を検出することによって検出でき、それらは２つの細片間の電気的導通又は電気的導通の欠如を検出することに対応する。有利には、第２細片は電源の非ゼロ電位に接続されており、これは２つの細片がスライダーによってともに電気的に接続された時に前記システムによって検出される。
【００１７】
本発明の有利な特徴によれば、前記細片は、
第１テープの織物に織り込むことによって、及び／又は、
第１テープの片面又は両面に縫製することによって、及び／又は、
第１テープの片面又は両面に印刷することによって、及び／又は、
第１テープの表面に接着剤で接着又は付着することによって、及び／又は、
第１テープの片面又は両面に圧着することによって、第１テープに固定される。
【００１８】
本発明の有利な特徴によれば、前記ジップクロージャー装置は第３導電片を更に備えており、検出器・信号発信システムはまた、第２導電片と第３導電片との間の電気的導通の状態を検出するように構成される。
【００１９】
３つの細片を用いた装置のそうした設計は、スライダーの移動方向を検出するのを可能にする。具体的には、スライダーの移動方向、すなわち一連の部材のうちの部材を閉じる方向又はそれらを開く方向は、細片間に形成される電気回路の連続して検出される開閉状態の関数として、すなわち第１及び第２の細片間と第３及び第２の細片間で検出される電気的導通状態の関数として、検出できる。
【００２０】
本発明の有利な特徴によれば、導電片は第１テープの一端の近傍に配置される。
【００２１】
本発明の有利な特徴によれば、それぞれの一連の部材の結合・分離可能な部材は、ナイロンといった電気絶縁材料で製作される。
【００２２】
当然ながら、本発明の装置はまた、金属製の歯といった導電性材料で製作された一連の部材でも動作可能である。
【００２３】
本発明の有利な特徴によれば、検出器・信号発信装置は、電線といった導電性フィラメント要素によって第１細片と接続された、好ましくは論理入力（ｌｏｇｉｃ  ｉｎｐｕｔ）を形成する第１入力端子を有しており、第２細片は電線といった導電性フィラメント要素によって、例えば電源により供給される電位と接続されている。
【００２４】
本発明の有利な特徴によれば、検出器・信号発信装置は、電線といった導電性フィラメント要素によって第３細片と接続された、好ましくは論理入力を形成する第２入力端子を有する。
【００２５】
本発明はまた、前面中央で開閉可能なズボン又は、開閉式ポケットを有するジャケットといった物品、好ましくは衣料品を提供し、前記物品はジップクロージャーシステムを装着した開閉部を呈しており、前記物品は、上述の監視装置が設けられており、物品の前記ジップクロージャーシステムは監視装置の前記ジップクロージャーシステムを含むことを特徴とする。
【００２６】
特定の態様において、前記物品は、衣服のウエストにクロージャーボタンを含む衣服であり、前記衣服は、前記クロージャーボタンに収容され前記検出器・信号発信システムに給電するように構成された、ボタン電池といった電源も含んでいる。
【００２７】
本発明はまた、ジップクロージャーシステムを装着した開閉部を呈するバックパックといった旅行鞄を提供し、前記旅行鞄は、上述の監視装置が設けられており、旅行鞄の前記クロージャーシステムは監視装置の前記ジップクロージャーシステムを含むことを特徴とする。
【００２８】
本発明はまた、防水シート、ポーチ、財布、テントによって形成される物品、又は更に言えば皮革製品のあらゆる物品、より広範にはジップクロージャーシステムを含んでいるあらゆる物品にあてはまる。
【００２９】
本発明の他の特徴及び利益は、完全に例示的であって非限定的であり、添付図面を参照して読むべきである以下の説明から更に明白になる。
【図面の簡単な説明】
【００３０】
【図１】本発明の実施形態に従った検出器・信号発信システムを有するジップクロージャーシステムの背面図である。
【図２】本発明の実施形態に従った検出器・信号発信システムを備えたジップクロージャーシステムの正面図である。
【図３】本発明の実施形態に従った検出器・信号発信システムを有するジップクロージャーシステムによって形成される２つの電気回路の概略図であり、第１回路は閉状態にあり、第２回路は開状態にある。
【図４】本発明の実施形態に従った検出器・信号発信システムを備えたジップクロージャーシステムによって形成される２つの電気回路の部分概略図であり、第１回路及び第２回路両方とも開状態にある。
【図５】本発明の実施形態に従った検出器・信号発信システムを備えたジップクロージャーシステムによって形成される２つの電気回路の部分概略図であり、第１回路は開状態にあり、第２回路は閉状態にある。
【図６】本発明の実施形態に従った検出器・信号発信システムを備えたジップクロージャーシステムによって形成される２つの電気回路の部分概略図であり、第１回路は閉状態にあり、第２回路は開状態にある。
【発明を実施するための形態】
【００３１】
本発明の概念は、本発明の概念の実施形態を示す添付図面に関して以下でより完全に説明する。図面中、要素の大きさ及び相対的寸法は明瞭さの目的で誇張されることもある。図面の全部において、同じ番号は同じ要素を示している。しかしながら、本発明のこの概念は多数の異なる形態で具体化できるので、以下に記載する実施形態に限定されると解釈してはならない。反対に、これらの実施形態は、説明が完全であるように提示されており、それらは本発明の概念の範囲を当業者に伝えるものである。従って、本発明の範囲は添付図面によって規定されない。
【００３２】
説明中の「実施形態」のあらゆる言及は、実施形態に関して述べたある特定の機能、構造又は特徴が、本発明の少なくとも１つの実施形態に含まれることを意味する。従って、明細書の随所で使用される用語「実施形態において」は、必ずしも同一の実施形態を指しているわけではない。加えて、特定の機能、構造又は特徴は、１つ以上の実施形態において任意の適切な様態で組み合わせてもよい。
【００３３】
図に関して、上で要約したように、本発明はジップクロージャーシステムの状態を監視するための監視装置に関連している。上で要約したように、ジップクロージャーシステムの「状態」は、システムの前記状態がシステムの閉状態又は開状態であり得るような、又はそれがスライダーの位置であり得るような、又は更に言えば、それがスライダーの走行方向であり得るように、そのスライダーに関して規定される。
【００３４】
図に示した実施例において、以下で詳述するように、システムは、スライダーの走行軸に沿って所定の位置に配置されている一群の細片を形成する２つ又は３つの細片を有する。システムは、スライダーの前記走行軸に沿って離隔された複数の群の細片を有するように備えてよく、それぞれ、以下で説明するように、電位及び入力に接続されることによってスライダーの位置及び／又は走行方向を検出することを可能にする。
【００３５】
前記ジップクロージャー監視装置は、第１テープ１及び第２テープ２を備える。それぞれのテープ１は、それぞれの一連の部材３を備えた縦縁端を呈しており、それらは他方のテープ２の前記縦縁端に沿って配置された一連の対応する部材３と結合・分離できる。以下の説明において、図に示すように、前記部材は歯であるが、変形例においては前記部材がコイルであるように備えることが可能である。
【００３６】
装置はまた、「導電スライダー」と称する、導電性材料で製作されたスライダー４を備える。導電スライダー４は、前記一連の歯３に沿って一方向に移動することによって２つの一連の部材３を一体に結合させ、反対方向に移動することによってそれらを分離させるようにして、一連の部材３とともに配置されている。
【００３７】
一連の歯、それらが固定された細片及び、その移動方向に応じてそれらを結合及び分離するように配置されたスライダーは、ジップクロージャーの要素を形成する。それぞれのテープは、例えば織布の細片といった織物部片によって構成されるように備えられ得る。変形例において、それぞれのテープは、いずれかの他の柔軟材料から、例えばＰＶＣといったプラスチック材料から、又は金属さえからも製作可能である。
【００３８】
ジップクロージャー監視装置はまた、「導電片」と称する、導電性材料で製作された少なくとも２つの細片５、６を有する。図に示した実施例において、前記装置は第３導電片７を有する。これらの導電片７は第１テープ１に固定されており、第１テープ１の縦軸に対して横方向に、好ましくは垂直に配置されている。細片は全部、同じテープ１に固定されており、それによって前記装置の設計を容易にするとともに、前記装置をより信頼でき小型にすることが可能になる。
【００３９】
前記細片５、６及び７、並びにスライダー４は、前記スライダー４が前記細片５、６又は前記細片６、７を通り過ぎて移動する時に、２つの隣接する細片５及び６又は２つの隣接する細片６及び７がスライダー４によってともに電気的に接続されるように構成されている。この目的で、スライダー４は、前記スライダーが前記細片と同じ高さに位置した時に２つの隣接する細片に同時に接触するのに適格な大きさである。逆に言えば、前記スライダーが２つの細片５、６又は細片６、７と同じ高さに位置していない時、前記細片５、６又は細片６、７はともに電気的に接続されない。
【００４０】
変形例において、以下で詳述するように、スライダーが３つの細片全部に同時に接触するのに十分な長さである場合、図６に示すように、スライダーは３つの細片５、６及び７の全部に同時に接触するように備えをなし、それによって監視装置の信頼性を更に高めるのに資することも可能である。
【００４１】
前記装置はまた、２つの細片５と６との間及び２つの細片６と７との間に形成される電気回路の開閉状態を検出するように構成された検出器・信号発信システム８を有する。この検出器・信号発信システム８の実施形態は以下で説明する。
【００４２】
前記細片５、６及び７は第１テープ１に固定される。それらを固定する様々な方法が想定できる。前記細片は第１テープ１の織物に導電性材料を織り込むことによって製作してもよい。細片は、第１テープ１の片面又は両面に縫製してもよいし、及び／又は第１テープ１の片面又は両面に導電性インクを用いて印刷してもよい。前記細片は、第１テープ１の表面に接着剤で接着又は付着してもよいし、又は更に言えば、第１テープの片面又は両面に圧着してもよい。
【００４３】
好ましい実施形態において、ジップクロージャーの開閉を効果的に検出可能にするために、導電片５、６及び７は第１テープ１の一端の近傍に配置される。有利には、この端はジップクロージャーの閉鎖端、すなわち、クロージャーが閉じた状態（すなわち大多数の歯が結合し合っている状態）にある時にスライダーが位置している端に対応する。ズボン又はスカートといった衣服では、前記閉鎖端は、衣服の着用中にテープが垂直に延びている状況で、上端である。
【００４４】
前記検出器・信号発信システム８は、例えば音響及び／又は振動、及び／又は光を発する形式の信号発信モジュール８２と、検出器モジュール８１とを有する。
【００４５】
検出器モジュール８１は、細片間の電気的導通の状態を検出し、検出された導通状態（複数も）の関数として信号発信モジュール８２を起動するように構成されている。
【００４６】
有利には、前記検出器・信号発信装置８は、以下で説明するように、細片５及び７との接続用の第１及び第２の入力端子を形成する論理入力Ｅ１及びＥ２を有する、マイクロコントローラといったプロセッサユニットを含む。以下で詳述するように、２つの細片間の電気的導通の状態は、２つの細片のうちの一方が接続された論理入力の状態を他方の細片が非ゼロ電位に接続されている間に検出することによって検出される。
【００４７】
信号発信モジュール８２は、例えばスマートフォンといった受信器具に警告信号を送信するためのマイクロコントローラにおいて具体化されたモジュールを備えてもよく、及び／又は、検出器モジュールの出力と接続され検出結果の関数として起動される音響及び／又は映像放出器を備えてもよい。従って放出器モジュールは、例えばブルートゥース（登録商標）標準を用いて、無線通信モジュールであるように備えてもよい。
【００４８】
前記装置は、前記検出器・信号発信システムに給電するように構成されたボタン電池といった電源を有する。
【００４９】
前記装置は、前記検出器・信号発信装置８が防水であることを保証するように構成されたシーリング手段を含み得る。
【００５０】
図に示した実施例において、論理入力Ｅ１は、電線といった導電性フィラメント要素５８によって第１細片５と接続されており、第２細片６は、例えば電源Ｖｃｃによって供給される電位と接続されている。同様に、論理入力Ｅ２は、電線といった導電性フィラメント要素７８によって第３細片７と接続されている。有利には、細片６の電位は、例えば検出器・信号発信装置８に給電するように、前記装置の残りの電動部品にも給電するボタン電池によって供給される。
【００５１】
前記検出器モジュール８１は、第１入力Ｅ１に適用されている閾値よりも大きい電圧を検出するように構成される。同様に、前記検出器モジュール８１は、第２入力Ｅ２に適用されている閾値よりも大きい電圧を検出するように構成される。前記電圧Ｖｃｃは前記閾値よりも大きい。詳しくは、入力Ｅ１又は入力Ｅ２に印加された電圧（特に電圧Ｖｃｃ）が前記閾値よりも大きい時、入力Ｅ１の論理状態は値１のアクティブ状態である。逆に言えば、入力Ｅ１又は入力Ｅ２の論理状態は値０の非アクティブ状態である。
【００５２】
スライダー４は細片６と細片７との間及び細片５と細片６との間でスイッチを形成し、それにより、スライダー４によって形成されるスイッチが細片５と細片６との間で閉状態にある時、検出器モジュール８１は入力Ｅ１がアクティブ状態（値１）にあることを検出する。従って検出器モジュール８１は、スライダーが２つの細片５及び細片６と同じ高さであると判断できる。同様に、細片６と細片７との間でスライダー４によって形成されるスイッチの閉状態において、検出器モジュール８１は入力Ｅ２がアクティブ状態にあることを検出する。従って論理入力Ｅ１及び論理入力Ｅ２の状態から、検出器モジュール８１はスライダーが２つの細片６及び細片７と同じ高さであると推論できる。
【００５３】
変形例において、第２細片６は、スライダー４によって形成されるスイッチが閉状態にある時、細片５とともに電気回路を形成する一方の細片と、細片７とともに電気回路を形成するもう一方の細片とを構成するように二重にすることもできようが、論理入力Ｅ１を含む回路と、論理入力Ｅ２を含む回路との両方に共通した単一の細片６を使用するほうがより効率的である。
【００５４】
変形例において、上述したように、スライダーが３つの細片全部に同時に接触するのに十分な長さである場合、図６に示すように、スライダーには３つの細片５、６及び７の全部に同時に接触するように備えをなし、それによって監視装置の信頼性を更に高めることも可能である。そのような場合、検出器モジュール８１は、入力Ｅ１及び入力Ｅ２における同時アクティブ状態を検出するとともに、スライダーの位置及び／又は走行方向を判断するためにこの状態を検出することを含むように構成され得る。スライダーが一度に細片のうちの２つだけに接触するのに適格な大きさである場合、入力Ｅ１及び入力Ｅ２の両方のアクティブ状態を検出することは、例えば細片間の望ましくない接触の結果として、異常を検出するために使用できる。
【００５５】
前記装置の電源はボタン電池であってよく、それは、仏国特許出願第１５／５２２８３号として出願され未公開である特許出願に記載されているように、衣服のクロージャーボタンといったボタンの中空本体に収容される。
【００５６】
上述の監視装置は、前面中央で開放可能なズボン又は、開閉式ポケットを呈するとともにジップクロージャーシステムを装着した開閉部を有するジャケットといった物品に装着してもよい。そのような場合、物品の前記ジップクロージャーシステムは、監視装置の前記ジップクロージャーシステムによって形成され得る。
【００５７】
特定の実施形態において、前記物品は前ファスナーのある一着のズボンであり、ジップクロージャーシステムはズボンの前ファスナーとなる。
【００５８】
上述した監視装置はまた、クロージャーシステムを装着した開閉部を呈する、バックパックといった運搬用バッグ又はポーチ、又は更に言えば旅行鞄に装着してもよい。同様に、前記旅行鞄のクロージャーシステムは、監視装置の前記ジップクロージャーシステムによって形成され得る。
【００５９】
別の特定の実施形態において、前記物品は、開閉部を呈するとともにクロージャーシステムを装着したテント又は防水シートである。
【００６０】
動作時の本発明の装置の実施例を図３から図５に関して以下で説明する。例えば仏国特許出願第１５／５２２８３号として出願され未公開である特許出願に記載されているようにクロージャーボタンを閉じることによって、検出器・信号発信装置の電源が起動した時、検出器・信号発信装置は細片５と細片６との間及び細片６と細片７との間の電気的導通の状態を検出する位置にある。
【００６１】
以下に述べる実施例は、ジップクロージャーシステムが衣服に装着されており、細片がジップシステムの上（閉鎖）端の近傍で使用されている状況にあてはまる。当然ながら、監視装置は、上述のようにジップクロージャーシステムを有する任意の形式の物品にも適用できる。
【００６２】
本発明の装置により、検出器・信号発信システムによって検出された状態及び／又は連続状態の関数としてクロージャーシステムの開閉状態を判断することが可能になる。
【００６３】
例えばスライダー４がその下端位置にあって当初クロージャーシステムが開位置にあり、使用者が前記ジップクロージャーを閉めたいと望んだ場合、使用者はスライダー４を細片の方へ引き上げる。スライダー４が細片５及び細片６にまで達しない限り、細片５と細片６との間及び細片６と細片７との間の電気回路は開いており、そのため入力Ｅ１も入力Ｅ２も細片６の電位Ｖｃｃと接続されない。従ってモジュール８１は、ジップクロージャーが開いていると推論でき、その情報を信号発信モジュールに送信し、その結果、適宜、信号発信モジュールは対応する警告信号を送出又は送信する。
【００６４】
特に衣服の場合、不適時な信号発信を回避するために、また使用者が前記衣服を身につける時間を残すために、時間遅延が使用されて、時間遅延の間、信号発信モジュールを禁止してもよい。どのような形式の物品であれ、例えば細片の位置の近辺におけるスライダーの急激な往復移動中など、不要な信号をトリガするのを回避するために時間遅延を使用してもよい。
【００６５】
図３に示すように、細片５及び細片６と同じ高さになるように使用者がスライダーを引き上げた時、スライダー４は両方の細片５及び細片６と同時に接触し、それによって細片５と細片６との間の電気回路を閉じ、その結果モジュール８１は例えば値１の「アクティブ」状態を検出する。上述したように、このアクティブ状態は電圧Ｖｃｃを入力Ｅ１にもたらす細片間の電気的導通の結果である。従ってモジュール８１は、スライダーが細片５と細片６との間の電気的導通をもたらして、それゆえそれらの２つの細片５及び細片６間に位置していることを検出する。
【００６６】
操作者がスライダー４を引き上げ続けると、スライダーはもはや細片５及び細片６を接続せず、それによりモジュール８１は、論理入力Ｅ１に電圧信号がまったく存在しない結果として、例えば値０の非アクティブ状態を検出できる。図５に示すように、スライダー４が細片６及び細片７まで到達した時に、スライダーは細片６と細片７との間で閉スイッチを形成し、その結果、モジュール８１は入力Ｅ２にもたらされている電圧Ｖｃｃに対応するアクティブ状態を検出できる。
【００６７】
図４に示すように、スライダーが細片５、６及び７から離れる方向に走行する時、スライダー４はもはや細片６と細片５及び７の一方との間の電気接点を閉じることなく、それによりモジュール８１は両方の論理入力Ｅ１及び論理入力Ｅ２における非アクティブ状態を検出できる。
【００６８】
検出器・信号発信システム８はメモリを有しており、それは検出された状態を保存するように構成されている。従って検出器・信号発信システム８は、それが連続して、（２つの細片５及び細片７のうち閉鎖端からより遠く離れている細片５と接続された）入力Ｅ１におけるアクティブ状態を検出した後、（２つの細片５及び細片７のうち閉鎖端により近い細片７と接続された）入力Ｅ２におけるアクティブ状態を検出した場合、スライダーが上方向（すなわち閉鎖方向）に移動していたことを検出するように構成されている。逆に言えば、モジュール８は、入力Ｅ２におけるアクティブ状態に引き続いて入力Ｅ１におけるアクティブ状態を連続的に検出した時には、スライダーが下方に、つまり開放方向に移動していたことを検出するようにも構成されている。
【００６９】
アクティブ状態は定常状態であってよいし、又は過渡状態であってもよい。用語「定常」は、スライダーが２つの細片間で所定の時間、適所に留まることを意味する。従って、電源を起動した時に、スライダーがすでに２つの細片間に位置している、例えばジップクロージャーが閉状態にある時に細片６及び細片７と接触していることが起こり得る。用語「過渡」は、入力Ｅ１又は入力Ｅ２で検出された状態が短期間に（例えば１秒で）０（非アクティブ）から１（アクティブ）に移行すること、又は更に言えば、入力Ｅ１又は入力Ｅ２で検出された状態が０（非アクティブ）から１（アクティブ）になり引き続き０に戻ることを意味する。
【００７０】
有利には、システムは入力Ｅ１及び入力Ｅ２の過渡的な電気状態を検出することによって動作し、これによりその電気消費量を低減することが可能になる。具体的には、センサーが少なくとも２つの細片と接触していない時、装置の電気消費量は極めて低い。
【００７１】
２つの細片だけを使用した場合、ジップクロージャーシステムの開閉を検出することが可能である。その場合、ジップクロージャーシステムの閉状態又は開状態を規定することによる初期化から始まることが適切である。システム８は引き続き、他方の細片が電源Ｖｃｃに接続される間、それらの細片の一方が接続される論理入力の状態を保存するように構成される。モジュール８１は、論理入力でのアクティブ状態を検出するごとに、クロージャーシステムが以前に検出された状態（例えば閉状態）に対して反対の状態（例えば開状態）に変わったと判断するように構成される。
【００７２】
どのような実施形態であれ、システム８は、モジュール８１によって検出された状態（複数も）の関数として起動信号が信号発信モジュール８２によって送出されるように構成され得る。従って、例えば入力Ｅ２に、引き続き入力Ｅ１においてアクティブ状態を連続して検出した結果として、ジップクロージャーが開いていることをモジュール８１が検出した時に、信号発信モジュールは音響及び／又は映像及び／又は光警告信号を送出でき、更に言えば警告信号を使用者のスマートフォンのような器具に送信して、ジップクロージャーシステムの状態を知らせ得る。
【００７３】
上述の機能及びステップは、コンピュータプログラムの形態で、又はハードウェア構成要素（例えばプログラマブルゲートアレイ）を用いて具体化できる。詳しくは、検出器・信号発信装置によって実行される機能及びステップは、プロセッサ又はコントローラにおいて具体化された命令又はコンピュータモジュールのセットによって提供され得るか、或いは専用の電子構成要素によって、又はフィールドプログラマブルゲートアレイ（ＦＰＧＡ）又は特定用途向け集積回路（ＡＳＩＣ）形式の構成要素によって提供され得る。また、ソフトウェア部分と電子部分とを組み合わせることも可能である。
【００７４】
コンピュータプログラム又はソフトウェア命令は、例えばコンピュータ可読デジタルデータ記憶媒体といったプログラム記憶装置、又は実行可能プログラムに格納してもよい。プログラム又は命令はプログラム記憶周辺装置からも可能である。
【００７５】
本発明は、図面に示された実施形態に限定されない。従って、添付クレームにおいて言及された特徴の後に引用符号が続く場合、それらの符号は単にクレームの了解性を高める目的だけで含まれており、決してクレームの範囲を限定するものではないことを理解しなければならない。
【００７６】
更に、用語「含む」は、他の要素又はステップを排除しない。加えて、記載された実施形態の１つに関して記載された特徴又はステップは、上述の他の実施形態のうちの他の特徴又はステップと組み合わせても使用可能である。
【符号の説明】
【００７７】
１、２  テープ
３  一連の部材、一連の歯
４  スライダー
５、６、７  細片
８  検出器・信号発信システム
８１  検出器モジュール
８２  信号発信モジュール
５８、６８、７８  導電性フィラメント要素
Ｅ１、Ｅ２  論理入力
Ｖｃｃ  電源
【図１】
2019534116.tif 000003
【図２】
2019534116.tif 000004
【図３】
2019534116.tif 000005
【図４】
2019534116.tif 000006
【図５】
2019534116.tif 000007
【図６】
2019534116.tif 000008
【国際調査報告】
2019534116.tif 000009
2019534116.tif 000010
2019534116.tif 000011
2019534116.tif 000012